(57)【特許請求の範囲】
【請求項１】
原稿の画像を読み取って画像データを取得する機能と，他の画像処理装置と交信する機能とを有する画像処理装置において，
自己と他の画像処理装置とで原稿を分割して読み取って全体で一体の画像データを作成する分割読込機能と，
分割読込機能の継続をユーザに促すための継続読込指示部を他の画像処理装置の操作部に表示させる分割読込開始通知を発信する分割読込開始通知発信機能と，
他の画像処理装置が分割読込機能の継続読込により取得した画像データを受信する画像データ受信機能と，
他の画像処理装置から受信した分割読込機能の継続読込による画像データを，自己で読み取った画像データと合成する画像データ合成機能とを有し，
前記分割読込開始通知発信機能により他の画像処理装置の操作部に表示させる継続読込指示部は，ユーザに操作されることにより，当該他の画像処理装置に，分割読込機能の継続読込を設定させるものであることを特徴とする画像処理装置。
【請求項２】
請求項１に記載する画像処理装置において，
前記分割読込開始通知の送信先である他の画像処理装置に対し，当該分割読込に係る動作モードを送信する動作モード送信機能を有することを特徴とする画像処理装置。
【請求項３】
請求項２に記載する画像処理装置において，
分割読込に係る動作モードの送信を，他の画像処理装置から動作モード要求を受信した場合に限り行うことを特徴とする画像処理装置。
【請求項４】
原稿の画像を読み取って画像データを取得する機能と，他の画像処理装置と交信する機能とを有する画像処理装置において，
自己と他の画像処理装置とで原稿を分割して読み取って全体で一体の画像データを作成する分割読込機能と，
他の画像処理装置から分割読込開始通知を受信することにより，分割読込機能の継続をユーザに促すための継続読込指示部を自己の操作部に表示する継続読込指示部表示機能と，
分割読込機能の継続読込により取得した画像データを分割元である他の画像処理装置へ送信する画像データ送信機能とを有し，
前記継続読込指示部がユーザに操作されることにより，分割読込機能の継続読込を設定することを特徴とする画像処理装置。
【請求項５】
請求項４に記載する画像処理装置において，
前記継続読込指示部が操作された際に，当該分割読込に係る動作モードの送信を分割元である画像処理装置に要求する動作モード要求を発信する動作モード要求発信機能を有し，
当該分割読込を，分割元である画像処理装置から受信した動作モードにより行うことを特徴とする画像処理装置。
【請求項６】
請求項４に記載する画像処理装置において，
分割読込機能の継続読込を行う際に，分割を終結させるか否かをユーザに選択させる終結選択機能と，
分割を終結させる旨が選択された場合に，継続読込指示部を無効化させる分割集結通知を他の画像処理装置に対し発信する分割集結通知発信機能とを有することを特徴とする画像処理装置。
【請求項７】
請求項４に記載する画像処理装置において，
他の画像処理装置から分割集結通知を受信することにより当該通知に係る継続読込指示部を無効化する継続読込指示部無効化機能を有することを特徴とする画像処理装置。
【請求項８】
請求項４に記載する画像処理装置において，
前記継続読込指示部の表示に有効期間があり，
その有効期間経過後は当該継続読込の指示を受け付けないことを特徴とする画像処理装置。
【請求項９】
請求項４に記載する画像処理装置において，
２台以上の画像処理装置から分割読込開始通知を受信した場合に，分割読込機能の継続読込を行う際，どの分割元に対する継続読込であるかをユーザに選択させる分割元選択機能を有することを特徴とする画像処理装置。
【請求項１０】
請求項４に記載する画像処理装置において，
他の画像処理装置から分割読込開始通知を受信したときに待機中でなかった場合には，その後待機中になってから継続読込指示部を表示することを特徴とする画像処理装置。
【請求項１１】
原稿の画像を読み取って画像データを取得する複数台の画像処理装置を相互に交信可能とした画像処理システムにおいて，
２台以上の画像処理装置で原稿を分割して読み取って全体で一体の画像データを作成する分割読込機能を有し，
少なくとも一台の画像処理装置が，
分割読込機能の継続をユーザに促すための継続読込指示部を他の画像処理装置の操作部に表示させる分割読込開始通知を発信する分割読込開始通知発信機能と，
他の画像処理装置が分割読込機能の継続読込により取得した画像データを受信する画像データ受信機能と，
他の画像処理装置から受信した分割読込機能の継続読込による画像データを，自己で読み取った画像データと合成する画像データ合成機能とを有し，
少なくとも他の一台の画像処理装置が，
他の画像処理装置から分割読込開始通知を受信することにより，分割読込機能の継続をユーザに促すための継続読込指示部を自己の操作部に表示する継続読込指示部表示機能と，
分割読込機能の継続読込により取得した画像データを分割元である他の画像処理装置へ送信する画像データ送信機能とを有し，
前記他の一台の画像処理装置に表示された継続読込指示部は，ユーザに操作されることにより，当該画像処理装置に，分割読込機能の継続読込を設定させるものであることを特徴とする画像処理システム。
【発明の詳細な説明】
【０００１】
【発明の属する技術分野】
本発明は，原稿の画像を読み込んで画像データを取得する機能を有する画像処理装置およびこれらを複数台接続した画像処理システムに関する。さらに詳細には，複数の画像処理装置で原稿を分割して読み込む分割読込機能に対応した画像処理装置および画像処理システムに関する。
【０００２】
【従来の技術】
従来より，複数の画像処理装置を接続した画像処理システムにおいて，複数の画像処理装置で原稿を分割して読み込む分割読込機能が備えられるようになっている。これに類するものとしては，例えば，複数のスキャナで原稿を分割して読込み，サーバー上でそれらの画像データを合成させる技術（特開２０００−２２４３６９号公報），スキャナから読み込んだ複数の画像データをＰＣ上で合成する技術（特開２０００−１２５０８７号公報）等がある。
【０００３】
【発明が解決しようとする課題】
しかしながら，従来の分割読込には，以下のような問題があった。すなわち，分割して読込みを行う場合には，各画像処理装置で読み取った原稿データを合成することが不可欠である。ここで，前記した従来の技術では，複数台の画像処理装置で分割読込みした画像データを合成するために，各端末毎に，分割読込みした画像を合成するサーバーもしくは端末を指定する作業が必要であった。
【０００４】
また，分割される画像データ間の関係，例えば，原稿が３分割して３台のスキャナで読み取る場合に，３分割された画像データを読み取る際の条件（読取モードを一致させる，合成する際の合成の順番を入れ違いにしない）等を指定しないと，合成された画像データは不具合のあるものになってしまう恐れがある。
【０００５】
本発明は，前記した従来の技術が有する問題点を解決するためになされたものである。すなわちその課題とするところは，簡易な操作により原稿の分割読込みを行い，一体の画像データを取得できるようにした画像処理装置および画像処理システムを提供することにある。
【０００６】
【課題を解決するための手段】
この課題の解決を目的としてなされた本発明の画像処理装置は，原稿の画像を読み取って画像データを取得する機能と，他の画像処理装置と交信する機能とを有するものであって，自己と他の画像処理装置とで原稿を分割して読み取って全体で一体の画像データを作成する分割読込機能と，分割読込機能の継続をユーザに促すための継続読込指示部を他の画像処理装置の操作部に表示させる分割読込開始通知を発信する分割読込開始通知発信機能と，他の画像処理装置が分割読込機能の継続読込により取得した画像データを受信する画像データ受信機能と，他の画像処理装置から受信した分割読込機能の継続読込による画像データを，自己で読み取った画像データと合成する画像データ合成機能とを有し，分割読込開始通知発信機能により他の画像処理装置の表示部に表示させる継続読込指示部は，ユーザに操作されることにより，当該他の画像処理装置に，分割読込機能の継続読込を設定させるものである。この画像処理装置は，分割読込の際の分割元としての役割を果たすことができる。
【０００７】
また，本発明の別の画像処理装置は，原稿の画像を読み取って画像データを取得する機能と，他の画像処理装置と交信する機能とを有するものであって，自己と他の画像処理装置とで原稿を分割して読み取って全体で一体の画像データを作成する分割読込機能と，他の画像処理装置から分割読込開始通知を受信することにより，分割読込機能の継続をユーザに促すための継続読込指示部を自己の操作部に表示する継続読込指示部表示機能と，分割読込機能の継続読込により取得した画像データを分割元である他の画像処理装置へ送信する画像データ送信機能とを有し，継続読込指示部がユーザに操作されることにより，分割読込機能の継続読込を設定するものである。この画像処理装置は，分割読込の際の分割先としての役割を果たすことができる。
【０００８】
而して本発明の画像処理システムは，原稿の画像を読み取って画像データを取得する複数台の画像処理装置を相互に交信可能としたシステムであって，２台以上の画像処理装置で原稿を分割して読み取って全体で一体の画像データを作成する分割読込機能を有し，少なくとも一台の画像処理装置が，分割読込機能の継続をユーザに促すための継続読込指示部を他の画像処理装置の操作部に表示させる分割読込開始通知を発信する分割読込開始通知発信機能と，他の画像処理装置が分割読込機能の継続読込により取得した画像データを受信する画像データ受信機能と，他の画像処理装置から受信した分割読込機能の継続読込による画像データを，自己で読み取った画像データと合成する画像データ合成機能とを有し，少なくとも他の一台の画像処理装置が，他の画像処理装置から分割読込開始通知を受信することにより，分割読込機能の継続をユーザに促すための継続読込指示部を自己の操作部に表示する継続読込指示部表示機能と，分割読込機能の継続読込により取得した画像データを分割元である他の画像処理装置へ送信する画像データ送信機能とを有し，他の一台の画像処理装置に表示された継続読込指示部は，ユーザに操作されることにより，当該画像処理装置に，分割読込機能の継続読込を設定させるものである。すなわち，分割読込の際に分割元としての役割を果たす画像処理装置と，分割先としての役割を果たす画像処理装置とを，ともに一台以上含むシステムである。
【０００９】
すなわち本発明においては，分割元の画像処理装置から分割読込開始通知を発信することにより，分割読込が開始される。分割読込開始通知を受信した画像処理装置，すなわち分割先の画像処理装置では，分割読込機能の継続読込をユーザが指示するための継続読込指示部を自己の操作部に表示する。この継続読込指示部をユーザが操作することにより，継続読込が開始される。すなわち，当該分割先の画像処理装置にて原稿の画像を読み取ると，その画像データは分割元の画像処理装置に送信される。すると分割元の画像処理装置では，受信した画像データと自己で読み取った画像データとを合成する。このように合成は，分割元の画像処理装置で行う。合成された画像データは，全体で一体のものとして取り扱われる。このようにして，分割読込が実行される。なお，継続読込指示部の操作と，継続読込の実際の開始との間に，分割元の選択や，読み取るべき原稿の挿入の確認等のステップが存在してもよい。
【００１０】
このように本発明によれば，各画像処理装置の操作部に表示される通りに操作するだけで簡単に分割読込ができるものである。
【００１１】
本発明において，分割元の画像処理装置は，分割読込開始通知の送信先である他の画像処理装置，すなわち分割先の画像処理装置に対し，当該分割読込に係る動作モードを送信する動作モード送信機能を有することが望ましい。そして，分割先の画像処理装置は，当該分割読込を，分割元である画像処理装置から受信した動作モードにより行うことが望ましい。これにより，原稿全体が同一の動作モードにて読み取られることとなるからである。なお，ここでいう動作モードとは，例えば，画像読み取りの濃度設定，余白の設定，カラー読み取りかモノクロ読み取りかの区別，片面読み取りか両面読み取りかの区別，精細度の設定などのことである。
【００１２】
この場合に分割先の画像処理装置は，継続読込指示部が操作された際に，当該分割読込に係る動作モードの送信を分割元である画像処理装置に要求する動作モード要求を発信する動作モード要求発信機能を有することが望ましい。そして分割元の画像処理装置は，分割先の画像処理装置から動作モード要求を受信した場合に限り，分割読込に係る動作モードの送信を行えば十分である。むろん，分割元の画像処理装置から，分割読込開始通知とともに動作モードをも発信してしまうことも考えられる。しかし，分割読込開始通知を受信した画像処理装置のすべてが分割先になるとは限らないからである。
【００１３】
また，本発明における分割先の画像処理装置は，分割読込機能の継続読込を行う際に，分割を終結させるか否かをユーザに選択させる終結選択機能と，分割を終結させる旨が選択された場合に，継続読込指示部を無効化させる分割集結通知を他の画像処理装置に対し発信する分割集結通知発信機能とを有することが望ましい。また，本発明における分割先の画像処理装置は，他の画像処理装置から分割集結通知を受信することにより当該通知に係る継続読込指示部を無効化する継続読込指示部無効化機能を有することが望ましい。これにより，分割読込の最終部分について継続読込指示をした後，他の画像処理装置に継続読込指示部を無駄に表示させ続ける愚を避けることができる。
【００１４】
また，本発明における分割先の画像処理装置においては，継続読込指示部の表示に有効期間があり，その有効期間経過後は当該継続読込の指示を受け付けないことが望ましい。何らかの事情によりユーザが分割読込をやめてしまいそのまま放置された場合に，いつまでも継続読込指示部を表示し続けるのは無駄だからである。
【００１５】
また，本発明における分割先の画像処理装置は，２台以上の画像処理装置から分割読込開始通知を受信した場合に，分割読込機能の継続読込を行う際，どの分割元に対する継続読込であるかをユーザに選択させる分割元選択機能を有することが望ましい。２台以上の画像処理装置からの分割読込開始通知が集中することもありうるからである。
【００１６】
また，本発明における分割先の画像処理装置は，他の画像処理装置から分割読込開始通知を受信したときに待機中でなかった場合には，その後待機中になってから継続読込指示部を表示することが望ましい。分割読込開始通知を受信した時点で，当該分割読込とは別の原稿の読み込みをしている最中であることもありうるからである。
【００１７】
【発明の実施の形態】
以下，本発明を具体化した実施の形態について，添付図面を参照しつつ詳細に説明する。本実施の形態は，一つのネットワーク内に複数のコピー機が接続されているシステムに，本発明を適用したものである。
【００１８】
まず，本形態に係るシステムは，図１に示すように構成されている。すなわち本形態に係るシステムは，デジタルコピー機１，デジタルコピー機２，およびデジタルコピー機３が設けられている。そして各デジタルコピー機は，ネットワーク１０により接続されている。なお，デジタルコピー機の台数は２以上であれば幾つでもよい。そして本形態では，後述する分割読込が可能である。
【００１９】
次に，図２のシーケンス図に基づいて，分割読込をする場合の各デジタルコピー機における動作を説明する。以下，原稿の読込みはデジタルコピー機１およびデジタルコピー機２で行われ，分割された画像データの合成はデジタルコピー機１で行われるものとして説明する。まず，原稿の先頭を含む一部分をデジタルコピー機１にセットし，分割読込みを設定する。図３は，デジタルコピー機の操作パネル４における応用設定画面である。この画面には，“分割読込”のキーが表示されている。ユーザは，この画面の“分割読込”を選択することにより，分割読込みを設定することができる。次に，分割読込みを設定した状態でスタートキー５を押下する。デジタルコピー機１は，スタートキー５が押されることにより原稿の読込みを開始する。以下，分割読込の最初の操作をしたデジタルコピー機を，分割元という。
【００２０】
分割元であるデジタルコピー機１は，原稿の読込みを開始すると同時に，デジタルコピー機２とデジタルコピー機３とに対し分割読込開始通知を送信する。ここでいう分割読込開始通知とは，あるデジタルコピー機で分割読込み機能が開始されたことを，他のデジタルコピー機に対して通知するための信号のことである。分割読込開始通知を受信したデジタルコピー機２およびデジタルコピー機３は，自己の操作パネル４に原稿の読込みの継続を促すための継続キー６を表示する（図４）。図４は，操作パネル４における基本設定画面である。この画面では，ソート機能や倍率変更等の通常の機能キーの他に，通常時は表示されていない継続キー６が表示されている。ユーザは，操作パネル４から継続キー６を選択することにより，分割読込の一部として，残りの原稿の読込みを継続する設定を行うことができる。ここで，デジタルコピー機２において継続キー６が押されたとする。すると，デジタルコピー機２から分割元であるデジタルコピー機１に対して，読込モード要求を送信する。ここでいう読込モード要求とは，継続キー６が押下されたか否かを要求元に通知するため，また，分割元のデジタルコピー機１の読込みの動作モードを要求するための信号のことである。ここでいう読込みの動作モードとしては，カラー読込かモノクロ読込かの設定や，片面読込か両面読込かの設定や，精細度の設定等がある。以下，継続キー６が押下されたデジタルコピー機を分割先という。
【００２１】
なお，デジタルコピー機２が，複数の分割元から分割読込開始通知を受信していることもありえる。その場合には，どの分割割込ジョブを継続するかの選択を行う。図５は，ジョブ選択画面である。この画面には，受信している分割読込開始通知のＩＤと受信時間とが一覧で表示されている。これによりユーザは，自分の分割読込ジョブの選択を行う。なお，分割割込ジョブの選択にパスワードを設けて，他人が操作を行うことを禁止してもよい。また，分割割込ジョブを一つしか受信していない場合は，図４の継続キー６が押下されたときにパスワードの入力を求めてもよい。
【００２２】
次に，読込モード要求を受信したデジタルコピー機１（分割元）は，読込モード要求を送信したデジタルコピー機２（分割先）に対して読込モード応答を送信する。ここでいう読込モード応答とは，分割元で継続処理をできるか否かを通知し，継続処理ができる場合にはさらに当該分割読込ジョブに係る読込の動作モードを分割先に通知するための信号のことである。
【００２３】
次に，読込モード応答を受信したデジタルコピー機２は，読込みを開始することを促す画面を表示する。図６は，読込み開始待ち画面である。すなわち操作パネル４には，原稿の準備を促すメッセージが表示されている。また，その原稿が，分割割込みの最終部分であるか否かを選択するためのボタンも合わせて表示している。
【００２４】
次に，ユーザが，最終部分であるか否かの選択操作を行った後，スタートキー５を押下すると，デジタル複写機２は原稿の読込みを開始する。デジタルコピー機２は，読込みを開始すると継続読込開始通知をデジタルコピー機１に対して送信する。ここでいう継続読込開始通知とは，合成するための画像データの読込みを開始したことを分割元に通知するための信号のことである。このとき，原稿の最終部分であることの選択を行っていた場合には，デジタルコピー機１とデジタルコピー機３とに対し分割終結通知を送信する。ここでいう分割終結通知とは，それ以上の分割をしないことを他のデジタルコピー機に対して通知するための信号のことである。分割終結通知を受信したデジタルコピー機３では，継続キー６の表示を消去する。次に，デジタルコピー機２は，セットされた全ての原稿を読込む。そして，原稿の画像データを分割元のデジタルコピー機１に対して送信する。次に，全ての画像データを送信し終えると，継続読込終了通知をデジタルコピー機１に対して送信する。ここでいう継続読込終了通知とは，自己の担当分の画像データの送信を終了したことを分割元に通知するための信号のことである。
【００２５】
次に，図７のフローチャートに基づいて，デジタルコピー機における当該処理の制御を説明する。本形態のデジタルコピー機は，発生したイベントに応じて各処理を実行するイベント駆動制御を行っている。本形態の処理に係るイベントには，スタートキーの押下（＃１），分割読込開始通知の受信（＃２），読込モード要求の受信（＃３），読込モード応答の受信（＃４），継続キーの押下（＃５），継続読込開始通知の受信（＃６），継続読込終了通知の受信（＃７），分割終結通知の受信（＃８），読込みの終了（＃９），および定期起動（＃１０）がある。そして各イベント毎に，それぞれに対応したプログラムが実行される。以降，各プログラムの詳細の処理を説明する。
【００２６】
まず，スタートキー押下（図７：＃１）の処理を図８のフローチャートに基づいて説明する。まず，当該ジョブが，分割割込みに係るものであるか否かを判断する（＃１１）。分割読込ジョブでない場合は（＃１１：Ｎｏ），画像データの記録先を自機として読込みを開始する（＃１４）。分割読込ジョブである場合は（＃１１：Ｙｅｓ），自機が分割元であるか否かを判断する（＃１２）。分割元である場合は（＃１２：Ｙｅｓ），ネットワークに接続されている全てのデジタルコピー機に対して分割読込開始通知を送信する（＃１３）。ここで，パスワードの指定をユーザに求め，指定されたパスワードを分割読込開始通知とともに送信してもよい。そして，画像データの記録先を自機をして読込みを開始する（＃１４）。
【００２７】
＃１２において自機が分割元でない，つまり分割先である場合は（＃１２：Ｎｏ），継続読込開始通知を分割元のデジタルコピー機に送信する。次に，読込みを行っている画像データが原稿の最終部分であるか否かを判断する（＃１６）。この判断は，図６の画面で“これで最後ですか”のメッセージに対応した“はい”ボタンと“いいえ”ボタンとのいずれかが選択されたかによる。画像データが原稿の最終部分である場合は（＃１６：Ｙｅｓ），ネットワークに接続されている全てのデジタルコピー機に対して分割終結通知を送信する（＃１７）。そして，画像データの記録先を分割元として読込を開始する（＃１８）。この場合は，読込んだ画像データは分割元へ送信されることとなる。画像データが原稿の最終部でない場合（＃１６：Ｎｏ）には，分割終結通知を送信することなく，＃１８へ進む。以上，＃１４もしくは＃１８が実行されると，スタートキー押下の処理は終了する。
【００２８】
次に，分割読込開始通知の受信（図７：＃２）の処理を図９のフローチャートに基づいて説明する。まず，分割元となるデジタルコピー機とその分割読込ジョブのタイムアウト時間とを登録する（＃２１）。タイムアウト時間とは，分割読込開始通知の受信をしてから，分割読込みに関する操作を許容する有効時間のことである。これは，通常，デフォルト値が設定されている。また，ユーザにより設定できることとしてもよい。次に，現在，読込みが可能な状態であるか否かを判断する（＃２２）。読込みが可能な状態の場合は（＃２２：Ｙｅｓ），操作パネル４に継続キー６を表示して（＃２３），分割読込開始通知受信の処理を終了する。分割読込みが可能でない状態の場合は（＃２２：Ｎｏ），そのまま分割読込開始通知受信の処理を終了する。ここでいう分割読込みが可能でない状態とは，分割先のデジタルコピー機の機能不足によるハード異常や，分割先がジョブの読込みを実施中等のビジー状態であること等である。なお，ビジー状態がタイムアウト前に回復し，かつ分割終結通知を受信していない場合は，継続キー６が表示されることとなる。
【００２９】
次に，読込モード要求の受信（図７：＃３）の処理を図１０のフローチャートに基づいて説明する。まず，自機が分割読込中であるか否かを判断する（＃３１）。自機が分割読込中である場合は（＃３１：Ｙｅｓ），さらに継続読込中であるか否かを判断する（＃３２）。継続読込中である，つまり分割終結通知を受けていない場合は（＃３２：Ｙｅｓ），パラメータを継続可能とした読込モード応答と，動作モードの設定データとを分割先に送信する（＃３３）。これが読込モード応答の送信である。自機が分割読込中でない場合（＃３１：Ｎｏ），または，継続読込中でない，つまり分割終結通知を受けている場合は（＃３２：Ｎｏ），パラメータを継続不可とした読込モード応答を分割先に送信する（＃３４）。以上，＃２２もしくは＃２３が実行されると，読込モード要求受信の処理は終了する。
【００３０】
次に，読込モード応答の受信（図７：＃４）の処理を図１１のフローチャートに基づいて説明する。まず，受信した読込モード応答のパラメータが継続可能であるか否かを判断する（＃４１）。パラメータが継続可能であった場合は（＃４１：Ｙｅｓ），受信した動作モードを自己の動作モードとして設定する（＃４２）。そして，図６に示す読込み開始待ち画面を表示する（＃４３）。＃４１においてパラメータが継続不可であった場合は（＃４１：Ｎｏ），自機に登録されている当該分割元の登録を削除する（＃４４）。さらに，削除後自機に登録されている分割元がまだあるか否かを判断する（＃４５）。もはや登録がない場合は（＃４５：Ｙｅｓ），図４の継続キー６を消去する（＃４６）。登録がある場合は（＃４５：Ｎｏ），そのまま読込モード応答受信の処理を終了する。＃４３もしくは＃４６が実行されると，読込モード応答受信の処理は終了する。
【００３１】
次に，継続キーの押下（図７：＃５）の処理を図１２のフローチャートに基づいて説明する。まず，登録されている分割元が複数あるか否かを判断する（＃５１）。複数登録されている場合は（＃５１：Ｙｅｓ），図５のジョブ選択画面を表示し，ユーザが分割元を選択するのを待つ（＃５２）。ユーザが分割元を選択すると，当該分割元に読込モード要求を送信する（＃５３）。一つしか登録されていない場合は（＃５１：Ｎｏ），分割元は一意に定まるためジョブ選択画面は表示せず，分割元に読込モード要求を送信する（＃５３）。＃５３の処理が実行されると継続キー押下の処理を終了する。なお，＃５３に先立ち，パスワードの入力を求めてもよい。この場合には，正しいパスワードが入力された場合に限り＃５３の処理を実行する。
【００３２】
次に，継続読込開始通知の受信（図７：＃６）の処理を図１３のフローチャートに基づいて説明する。まず，継続読込開始通知を送信した分割先デジタルコピー機を分割先リストに登録する（＃６１）。ここでいう分割先リストとは，原稿の残りの部分の分割読込みを行うデジタルコピー機を記録するものである。＃６１が実行されると，継続読込開始通知受信の処理は終了する。
【００３３】
次に，継続読込終了通知の受信（図７：＃７）の処理を図１４のフローチャートに基づいて説明する。まず，自機が継続読込終了通知を送信した分割先デジタルコピー機を分割先リストから削除する（＃７１）。次に，読込まれた画像データの後処理のため後述する読込終了判断処理を実行する（＃７２）。＃７２が実行されると，継続読込終了通知受信の処理は終了する。
【００３４】
次に，分割終結通知の受信（図７：＃８）の処理を図１５のフローチャートに基づいて説明する。まず，自機が分割元であるか否かを判断する（＃８１）。分割元である場合は（＃８１：Ｙｅｓ），読込まれた画像データの後処理のため後述する読込終了判断処理を実行する（＃８２）。分割元でない場合は（＃８１：Ｎｏ），図１１中の＃４４へ進み，前述のように分割元の登録の削除等を行う。以上により，分割終結通知受信の処理は終了する。
【００３５】
次に，読込みの終了（図７：＃９）の処理を図１６のフローチャートに基づいて説明する。まず，自機が分割元であるか否かを判断する（＃９１）。分割元である場合は（＃９１：Ｙｅｓ），読込んだ画像データの後処理のため後述する読込終了判断処理を実行する（＃９２）。分割元でない場合は（＃９１：Ｎｏ），分割元に対して，継続読込終了通知を送信する（＃９３）。以上，＃９２もしくは＃９３が実行されると，読込み終了の処理は終了する。なお，＃９１において，分割読込みでない通常の読込みである場合は，Ｙｅｓであると判断するものとする。
【００３６】
次に，定期起動（図７：＃１０）の処理を図１７のフローチャートに基づいて説明する。定期起動は，デジタルコピー機起動後もしくは最初の分割元デジタルコピー機の登録後から一定間隔で発生するタイマーイベントである。まず，登録されている全ての分割元に対して，タイムアウトのチェックを行う（＃１０１）。次に，タイムアウトした分割元があるか否かを判断する（＃１０２）。タイムアウトした分割元がない場合は（＃１０２：Ｎｏ），そのまま定期起動処理を終了する。タイムアウトした分割元がある場合は（＃１０２：Ｙｅｓ），図１１中の＃４４へ進み，タイムアウトした当該分割元について，前述のように登録の削除等を行う。そして，定期起動の処理は終了する。
【００３７】
次に，読込終了判断の処理を図１８のフローチャートに基づいて説明する。この読込終了判断処理は，図１４中の＃７２，図１５中の＃８２，図１６中の＃９２で実行されるものである。まず，当該ジョブが分割読込であるか否かを判断する（＃１１１）。分割読込でない，すなわち通常のジョブであった場合は（＃１１１：Ｎｏ），終了処理（＃１１６）を行った後，読込終了判断の処理を終了する。分割読込であった場合は（＃１１１：Ｙｅｓ）は，分割先リストに登録があるか否かを判断する（＃１１２）。登録がある場合は（＃１１２：Ｙｅｓ），そのまま読込終了判断の処理を終了する。分割先における読込みが，まだ終了していないからである。登録がない場合は（＃１１２：Ｎｏ），継続読込終了通知を受信したか否かを判断する（＃１１３）。当該通知を受信していない場合は（＃１１３：Ｎｏ），そのまま読込終了判断の処理を終了する。当該通知を受信している場合は（＃１１３：Ｙｅｓ），自機は読込終了であるか否かについて判断する（＃１１４）。読込終了でない場合は（＃１１４：Ｎｏ），そのまま読込終了判断の処理を終了する。読込終了の場合は（＃１１４：Ｙｅｓ），分割に係る読込みが全て終了していることになる。このため，取得した画像データのマージ処理を行う（＃１１５）。その後，終了処理（＃１１６）を行い，読込終了判断の処理は終了する。
【００３８】
次に，画像データのマージ処理を説明する。この処理は，図１９のフローチャートに示すようにして行われる。図１９の説明に先立ち，分割ジョブの管理に関するデータ構造を，図２０により説明する。
【００３９】
図２０は，原稿を２分割し，分割元と分割先とでそれぞれ３ページづつ原稿を読込んだ時点でのデータ構成である。ここに示されるデータはすべて，分割元のデジタルコピー機内に作成される。ジョブ管理情報は，原稿の分割数だけ作成される。図２０の例では，分割元である自機と分割先とのジョブ管理情報が作成されている。ジョブ管理情報中の列Ａは，続きのジョブ管理情報へのリンク関係を示している。列Ｂは，ジョブ内のページ管理情報へのリンク関係を示している。列Ｃは，ジョブのページ数を示している。図２０の自機のジョブ管理情報の例では，列Ａに分割先のジョブ管理情報が示されている。列Ｃには，現時点でのページ数である３が記録されている。
【００４０】
また，ページ管理情報は，読込んだ画像情報毎にページの数だけ作成される。図２０の例では，自機のページ管理情報が３ページ分，分割先のページ管理情報も３ページ分作成されている。ページ管理情報中の列Ｅは，次のページ管理情報へのリンク関係を示している。列Ｆは，ページ番号を示している。列Ｇは，画像イメージデータへのリンク関係を示している。図２０の自機の１ページ目のページ管理情報の例では，列Ｅに次のページ管理情報が示されている。列Ｆには，ページ番号が示されている。列Ｇには，当該ページのイメージデータへのリンクが示されている。なお，画像イメージデータは，原稿の電子化したデータである。通常は圧縮されて記憶されるが，非圧縮の画像イメージデータを記憶してもよい。
【００４１】
図１９の処理が行われるのは，前述のように，読込みが全部終了してからである。図１９のフローチャート中の「ｔｏｐ＿ｊｏｐ」，「ｎｅｘｔ＿ｊｏｂ」はデジタルコピー機に係るジョブ管理情報を認識するためのコードである。また，「ｎｕｍ」はページ番号またはページ数を表す数値である。まず，先頭に登録されているジョブ管理情報をｔｏｐ＿ｊｏｂとして認識する（＃１２１）。図２０のような例では，自機のジョブ管理情報が認識されることとなる。次に，ｔｏｐ＿ｊｏｂの続きに登録されているジョブ管理情報があるか否かを判断する（＃１２２）。図２０のような例では，続きのジョブ管理情報は分割先のジョブ管理情報となり，ジョブ管理情報はあると判断されることとなる。続きのジョブ管理情報がない場合は（＃１２２：Ｎｏ），そのままマージ処理を終了する。
【００４２】
ジョブ管理情報がある場合は（＃１２２：Ｙｅｓ），ｔｏｐ＿ｊｏｐの続きのジョブをｎｅｘｔ＿ｊｏｂと認識する（＃１２３）。図２０の例では，分割先のジョブ管理情報がｎｅｘｔ＿ｊｏｂとなる。次に，ｔｏｐ＿ｊｏｂの総ページ数をｎｕｍとし，ｎｅｘｔ＿ｊｏｂの先頭ページを認識する（＃１２４）。次に，そのページが存在するか否かを判断する（＃１２５）。存在する場合は（＃１２５：Ｙｅｓ），ｎｕｍに１を加え，そのページのページ番号をｎｕｍとする。これにより，ｎｅｘｔ＿ｊｏｂの先頭ページが，ｔｏｐ＿ｊｏｂの末尾に付け加えられたこととなる。そして，認識対象のページのページを次のページに移す（＃１２６）。＃１２６の処理を実行すると，＃１２５へ戻る。つまり，ｎｅｘｔ＿ｊｏｂのページがすべてｔｏｐ＿ｊｏｂに移るまで，＃１２５〜＃１２６の処理を繰り返す。ｎｅｘｔ＿ｊｏｂにページがなくなると（＃１２５：Ｎｏ），現在のｎｕｍの値をｔｏｐ＿ｊｏｂの総ページ数とする（＃１２７）。次に，ｎｅｘｔ＿ｊｏｂのさらに次のジョブをｔｏｐ＿ｊｏｂの続きのジョブとする（＃１２８）。最後に，現在のｎｅｘｔ＿ｊｏｂの登録を破棄して（＃１２９），＃１２２まで処理を戻す。つまり，登録してあるジョブをすべてマージするまで＃１２２〜＃１２９の処理を繰り返す。以上でマージ処理は終了する。
【００４３】
図２１は，総ページ数が１００ページある原稿のマージ処理後のジョブ管理情報のデータ構成である。マージ処理前（図２０）では，ページ番号（列Ｆ）が各分割ジョブ毎に割り付けられていた。しかし，マージ処理後では，一つのジョブ管理情報として連続したページ番号が割り付けられている。
【００４４】
以上詳細に説明したように，本実施の形態では，分割元のデジタルコピー機１から分割読込開始通知を発信することにより，分割読込が開始されるようにしている。分割読込開始通知を受信したデジタルコピー機２では，分割読込機能の継続読込をユーザが指示するための継続キー６を操作パネル４に表示するようにしている。この継続キー６をユーザが押下した場合には，分割元のデジタルコピー機１から動作モードが送信され，当該分割先のデジタルコピー機２ではその動作モードにより原稿の画像を読み取ることとなる。そして，その画像データを分割元のデジタルコピー機１に送信するのである。最終的に，分割元のデジタルコピー機１では，受信した画像データと自己で読み取った画像データとを合成し，合成された画像データは，全体で一体のものとして取り扱われる。このようにして，分割読込を，操作パネル４の表示どおりに操作するだけ簡単に実行できるデジタルコピー機およびそのシステムが実現されている。
【００４５】
さらに，分割読込みが終了すると，他のデジタルコピー機には分割終結通知が送信され，これを受信したデジタルコピー機は継続キー６の表示を自動的に消去することとしている。また，当該分割終結通知を受信することなく一定期間分割読込みに関しての操作が無かった場合も同様のこととしている。これにより，ユーザによる操作の軽減および誤操作の防止が実現しているのである。
【００４６】
なお，本実施の形態は単なる例示にすぎず，本発明を何ら限定するものではない。したがって本発明は当然に，その要旨を逸脱しない範囲内で種々の改良，変形が可能である。例えば，本実施の形態では，画像処理装置としてデジタルコピー機を用いたが，スキャナ，ＦＡＸ機等によっても同様のことが実現できる。また，これらの画像処理装置が混在しているシステムでも実現できる。
【００４７】
【発明の効果】
以上の説明から明らかなように本発明によれば，簡易な操作により原稿の分割読込みを行い，一体の画像データを取得できるようにした画像処理装置および画像処理システムが提供される。
【図面の簡単な説明】
【図１】実施の形態に係る画像処理システムのブロック構成図である。
【図２】画像処理システムの処理に係るシーケンス図である。
【図３】画像処理装置における分割割込み機能の選択を行う画面の一例である。
【図４】画像処理装置における継続機能の選択を行う画面の一例である。
【図５】画像処理装置における分割元の選択を行う画面の一例である。
【図６】画像処理装置における原稿の最終部分の選択を行う画面の一例である。
【図７】画像処理装置におけるイベント発生の処理を示すフローチャートである。
【図８】画像処理装置におけるスタートキー押下の処理を示すフローチャートである。
【図９】画像処理装置における分割読込開始通知受信の処理を示すフローチャートである。
【図１０】画像処理装置における読込モード要求受信の処理を示すフローチャートである。
【図１１】画像処理装置における読込モード応答受信の処理を示すフローチャートである。
【図１２】画像処理装置における継続キー押下の処理を示すフローチャートである。
【図１３】画像処理装置における継続読込開始通知受信の処理を示すフローチャートである。
【図１４】画像処理装置における継続読込終了通知受信の処理を示すフローチャートである。
【図１５】画像処理装置における分割終結通知受信の処理を示すフローチャートである。
【図１６】画像処理装置における読込終了の処理を示すフローチャートである。
【図１７】画像処理装置における定期起動の処理を示すフローチャートである。
【図１８】画像処理装置における読込終了判断の処理を示すフローチャートである。
【図１９】画像処理装置におけるマージ処理の処理を示すフローチャートである。
【図２０】ジョブ管理情報のマージ処理前の内部構造を示すデータ構成図の一例である。
【図２１】ジョブ管理情報のマージ処理後の内部構造を示すデータ構成図の一例である。
【符号の説明】
１    デジタルコピー機（分割元）
２    デジタルコピー機（分割先）
３    デジタルコピー機
４    操作パネル
５    スタートキー
６    継続キー
１０  ネットワーク
【図１】
0004078810.tif 000002
【図２】
0004078810.tif 000003
【図３】
0004078810.tif 000004
【図４】
0004078810.tif 000005
【図５】
0004078810.tif 000006
【図６】
0004078810.tif 000007
【図７】
0004078810.tif 000008
【図８】
0004078810.tif 000009
【図９】
0004078810.tif 000010
【図１０】
0004078810.tif 000011
【図１１】
0004078810.tif 000012
【図１２】
0004078810.tif 000013
【図１３】
0004078810.tif 000014
【図１４】
0004078810.tif 000015
【図１５】
0004078810.tif 000016
【図１６】
0004078810.tif 000017
【図１７】
0004078810.tif 000018
【図１８】
0004078810.tif 000019
【図１９】
0004078810.tif 000020
【図２０】
0004078810.tif 000021
【図２１】
0004078810.tif 000022